(57)【特許請求の範囲】
【請求項１】
原稿載置部から読取位置を経て原稿排出部に連続する原稿搬送路に沿って、画像読取りを行う原稿を搬送する原稿搬送手段と、
上記原稿搬送路の所定位置から装置筐体の外面に形成された開口に延出されたスイッチバック搬送路に原稿を引き込むことにより、読取位置の下流側から原稿の先端と後端とを逆転させて読取位置の上流側へ戻し、かつ第１画像読取りを一時休止して行う第２画像読取りにおいて、上記開口に挿入された原稿を読取位置の上流側へ搬送する給送手段として機能するスイッチバック搬送手段と、
上記原稿搬送路の読取位置において搬送される原稿の画像読取りを行う画像読取手段と、
第１画像読取りを一時休止して行う第２画像読取りにおいて、上記スイッチバック搬送路の開口に挿入された原稿を、上記スイッチバック搬送手段及び原稿搬送手段により読取位置に搬送して画像読取りを行う制御手段と、を具備するものである画像読取装置。
【請求項２】
第１画像読取り動作の休止を要求する休止要求手段と、
第１画像読取り動作の休止中に、第２画像読取りの開始を要求する第２画像読取り開始要求手段と、
休止された第１画像読取りの再開を要求する第１画像読取り再開要求手段と、を具備し、
上記制御手段は、上記休止要求手段により第１画像読取り動作の休止が要求されたときに、既に画像読取りを行った画像データと第１画像読取りの読取条件を上記記憶手段に記憶させ、上記第２画像読取り開始要求手段により第２画像読取りの開始が要求されたときに、上記スイッチバック搬送路の開口に挿入された原稿を上記原稿搬送路に搬送して画像読取りを行い、上記再開要求手段により第１画像読取りの再開が要求されたときに、上記記憶手段に記憶された画像データ及び読取条件に基づいて、第１画像読取り動作を再開するものである請求項１に記載の画像読取装置。
【請求項３】
上記制御手段は、第２画像読取りが行われた原稿を、上記スイッチバック搬送路の開口に排出させるものである請求項１又は２に記載の画像読取装置。
【請求項４】
上記制御手段は、第２画像読取りが行われた原稿を、上記原稿排出部に排出させるものである請求項１又は２に記載の画像読取装置。
【請求項５】
上記スイッチバック搬送路の開口付近に原稿を検知するセンサが設けられており、
上記制御手段は、第２画像読取りが行われた原稿を、上記スイッチバック搬送手段がニップした状態で上記スイッチバック搬送路の開口に排出させ、所定時間経過後に上記センサが当該原稿を検知していることを条件として、当該原稿を上記原稿排出部に排出させるものである請求項３に記載の画像読取装置。
【請求項６】
上記制御手段は、第２画像読取りを行った後、所定時間経過後に一時休止した第１画像読取りを再開するものである請求項１から５のいずれかに記載の画像読取装置。
【請求項７】
上記原稿載置部と上記原稿排出部とが上下二段に配置され、上記スイッチバック搬送路は該原稿載置部及び該原稿排出部の上側へ向かって延出されたものである請求項１から６のいずれかに記載の画像読取装置。
【発明の詳細な説明】
【技術分野】
【０００１】
本発明は、原稿載置部から読取位置を経て原稿排出部に連続する原稿搬送路に沿って、画像読取りを行う原稿を搬送する原稿搬送手段と、上記原稿搬送路の所定位置からスイッチバック搬送路に原稿を引き込むことにより、読取位置の下流側から原稿の先端と後端とを逆転させて読取位置の上流側へ戻すためのスイッチバック搬送手段と、上記原稿搬送路の読取位置において搬送される原稿の画像読取りを行う画像読取手段と、を具備してなる画像読取装置に関する。
【背景技術】
【０００２】
従来より、コピー装置やスキャナ装置、コピー機能やスキャナ機能を併有する多機能装置等に搭載される画像読取装置において、給紙トレイから搬送路を経て排紙トレイへ原稿を搬送するＡＤＦ（Auto Document Feeder）と呼ばれる自動原稿搬送装置を備えたものが知られている。また、第１面及び第２面の両面に印字された原稿を読み取るために、搬送途中において原稿をスイッチバックさせることにより原稿の先端と後端とを逆転させて、原稿の両面読取りを行う画像読取装置が知られている（特許文献１参照）。
【０００３】
一方、コピー装置における割込コピーのように、現在行っている画像読取りの動作中に、別の原稿の画像読取りを行うことができる画像読取装置が知られている。このような画像読取装置では、割込コピーの際に、途中まで行った画像読取りの読取条件や画像データ等をメモリの所定領域に格納し、割込コピーが終了し後に、メモリに格納された読取条件や画像データを用いて、中断された画像読取りを再開することにより、途中まで行った画像読取りを無駄にすることなく、割込コピーが実現されている（特許文献２参照）。
【０００４】
【特許文献１】特開平７−６４３５９号公報
【特許文献２】特開平５−１９９３４１号公報
【発明の開示】
【発明が解決しようとする課題】
【０００５】
前述した割込コピーのように、画像読取装置において、第１画像読取りを中断して、第２画像読取りを行う場合には、第１画像読取りを行っていた原稿と第２画像読取りを行う原稿とを入れ換える必要がある。つまり、第１画像読取りを中断した後、画像読取装置の給紙トレイ及び排紙トレイから現在の原稿を取り除き、第２画像読取りを行う別の原稿を給紙トレイにセットする。そして、第２画像読取りが終了すれば、読取り済みの原稿を排紙トレイから取り除き、第１画像読取りを行っていた原稿を給紙トレイにセットし直す。そして、第１画像読取りを再開する。
【０００６】
割込コピーは、例えば、緊急を要するコピーのために用いられるほか、大量の原稿の画像読取りのためにコピー装置が長時間に渡って占有されている場合に、別人が１枚の原稿のコピーのために、長時間待たされることを解消するためにも用いられる。しかし、割込コピーのために、大量の原稿を給紙トレイ及び排紙トレイから取り除き、割込コピー終了後に再びセットすることも面倒な作業である。
【０００７】
本発明は、かかる事情に鑑みてなされたものであり、原稿の両面読取りが可能な画像読取装置において、第１画像読取りを行っていた原稿を原稿載置部及び原稿排出部から取り除くことなく、第２画像読取りを行うことができる手段を提供することを目的とする。
【課題を解決するための手段】
【０００８】
(1)本発明に係る画像読取装置は、原稿載置部から読取位置を経て原稿排出部に連続する原稿搬送路に沿って、画像読取りを行う原稿を搬送する原稿搬送手段と、上記原稿搬送路の所定位置から装置筐体の外面に形成された開口に延出されたスイッチバック搬送路に原稿を引き込むことにより、読取位置の下流側から原稿の先端と後端とを逆転させて読取位置の上流側へ戻し、かつ第１画像読取りを一時休止して行う第２画像読取りにおいて、上記開口に挿入された原稿を読取位置の上流側へ搬送する給送手段として機能するスイッチバック搬送手段と、上記原稿搬送路の読取位置において搬送される原稿の画像読取りを行う画像読取手段と、第１画像読取りを一時休止して行う第２画像読取りにおいて、上記スイッチバック搬送路の開口に挿入された原稿を、上記スイッチバック搬送手段及び原稿搬送手段により読取位置に搬送して画像読取りを行う制御手段と、を具備するものである。
【０００９】
原稿載置部には、第１画像読取りを行う原稿が載置される。第１画像読取りが開始されると、原稿載置部の原稿が１枚ずつ原稿搬送路に給送される。片面読取りの場合には、原稿搬送路に給送された原稿は、読取位置を通過して原稿排出部へ排出される。原稿が読取位置を通過する際に、画像読取手段が原稿の第１面（表面）の画像を読み取る。両面読取りの場合には、読取位置を通過した原稿がスイッチバック搬送路に案内される。読取位置の下流側からスイッチバック搬送路に進入した原稿は、先端と後端とを逆転させて原稿搬送路の読取位置の上流側へ戻される。原稿搬送路に戻された原稿は、第２面（裏面）を読取位置に対向させて搬送される。原稿が読取位置を通過する際に、画像読取手段が第２面の画像を読み取る。片面読取り又は両面読取りを終えた原稿は原稿排出部へ排出される。
【００１０】
第１画像読取りを行っている際に、第２画像読取りの割り込みが入力されると、第１画像読取りが一時休止される。したがって、第１画像読取りを行うべき原稿の一部が、原稿載置部に残る。第２画像読取りとは、第１画像読取りを一時休止して行われる別の画像読取りである。第２画像読取りを行う原稿は、スイッチバック搬送路の開口に挿入される。第２画像読取りの開始が入力されると、制御手段は、スイッチバック搬送手段及び原稿搬送手段を駆動して、該原稿をスイッチバック搬送路から原稿搬送路に搬送して読取位置を通過させる。画像読取手段は、該原稿が読取位置を通過する際に、該原稿の画像を読み取る。第２画像読取りは、片面読取りであっても両面読取りであってもよい。
【００１１】
第２画像読取りが終了し、第１画像読取りの再開が入力されると、一時休止されている第１画像読取りが再開される。原稿載置部に残っている原稿は、前述と同様に、１枚ずつ原稿搬送路に給送され、片面読取り又は両面読取りが行われて、原稿排出部へ排出される。
【００１２】
(2)また、上記画像読取装置は、第１画像読取り動作の休止を要求する休止要求手段と、第１画像読取り動作の休止中に、第２画像読取りの開始を要求する第２画像読取り開始要求手段と、休止された第１画像読取りの再開を要求する第１画像読取り再開要求手段と、を具備し、上記制御手段は、上記休止要求手段により第１画像読取り動作の休止が要求されたときに、既に画像読取りを行った画像データと第１画像読取りの読取条件を上記記憶手段に記憶させ、上記第２画像読取り開始要求手段により第２画像読取りの開始が要求されたときに、上記スイッチバック搬送路の開口に挿入された原稿を上記原稿搬送路に搬送して画像読取りを行い、上記再開要求手段により第１画像読取りの再開が要求されたときに、上記記憶手段に記憶された画像データ及び読取条件に基づいて、第１画像読取り動作を再開するものであってもよい。
【００１３】
第１画像読取りを行っている際に、第２画像読取りの割り込みを行う場合には、休止要求手段に第１画像読取りの動作の休止が入力され、制御手段が第１画像読取りを一時休止するとともに、記憶手段に画像データ及び読取り条件を記憶させる。第２画像読取り開始要求手段に第２画像読取りの開始が入力されると、制御手段は、スイッチバック搬送路の開口に挿入された原稿を原稿搬送路に搬送して、画像読取手段に画像読取りを行わせる。第２画像読取りが終了し、第１画像読取り再開手段に第１画像読取りの再開が入力されると、制御手段は、記憶手段に記憶された画像データ及び読取条件に基づいて、第１画像読取りを再開する。これにより、第１画像読取りを再開する際に、既に画像読取りを終えた原稿の画像読取りを省くことができるので、再開後の第１画像読取り時間が短縮される。また、第１画像読取りを行う際に設定された読取条件が記憶され、再開時に用いられるので、第１画像読取りを再開する際に改めて読取条件を入力する必要がない。
【００１４】
(3)上記制御手段は、第２画像読取りが行われた原稿を、上記スイッチバック搬送路の開口に排出させるものであってもよい。
【００１５】
これにより、第２画像読取りが行われた原稿が、第１画像読取りが行われて原稿排出部に排出された原稿と混ざることがない。特に、第２画像読取りを行う原稿が１枚である場合に好適である。
【００１６】
(4)上記制御手段は、第２画像読取りが行われた原稿を、上記原稿排出部に排出させるものであってもよい。
【００１７】
これにより、第２画像読取りが行われた原稿が、原稿排出部に順次排出される。特に、第２画像読取りを行う原稿が複数枚である場合に好適である。
【００１８】
(5)上記スイッチバック搬送路の開口付近に原稿を検知するセンサが設けられており、上記制御手段は、第２画像読取りが行われた原稿を、上記スイッチバック搬送手段がニップした状態で上記スイッチバック搬送路の開口に排出させ、所定時間経過後に上記センサが当該原稿を検知していることを条件として、当該原稿を上記原稿排出部に排出させるものであってもよい。
【００１９】
第２画像読取りが行われた原稿がスイッチバック搬送路の開口に残っていると、第１画像読取りを再開して両面読取りを行う際に、該原稿が紙詰まり等の原因となり得る。該原稿が所定時間経過後に原稿排出部に排出されることにより、第２画像読取りを行った使用者が読取り後の原稿を除去しなくても、第１画像読取りを再開することができる。
【００２０】
(6)上記制御手段は、第２画像読取りを行った後、所定時間経過後に一時休止した第１画像読取りを再開するものであってもよい。
【００２１】
これにより、第２画像読取りを行った使用者が第１画像読取りの再開を入力しなくとも、所定時間経過後に、第１画像読取りが再開されるので、第１画像読取りの途中で原稿が放置されることが防止される。
【００２２】
(7)また、上記原稿載置部と上記原稿排出部とが上下二段に配置され、上記スイッチバック搬送路は該原稿載置部及び該原稿排出部の上側へ向かって延出されたものであってもよい。
【００２３】
スイッチバック搬送路が原稿載置部及び原稿排出部の上側へ向かって延出されることにより、スイッチバック搬送路の開口が原稿載置部及び原稿排出部の上側になる。これにより、第２画像読取りの際に該開口に原稿を挿入することが容易である。
【発明の効果】
【００２４】
このように、本発明に係る画像読取装置によれば、第１画像読取り一時休止して行う第２画像読取りの原稿を、スイッチバック搬送路の開口に挿入することとしたので、第２画像読取りを行う際に、原稿載置部に残っている第１画像読取りを行うべき原稿の一部を取り除く必要がなく、第２画像読取り及び第１画像読取りの再開の際の手順が簡略化され、使い勝手が向上される。
【発明を実施するための最良の形態】
【００２５】
以下、適宜図面を参照して本発明の実施形態を説明する。なお、本実施の形態は本発明の一例にすぎず、本発明の要旨を変更しない範囲で、実施形態を適宜変更できることは言うまでもない。
【００２６】
図１及び図２は、本発明の実施の形態に係る画像読取装置１の主要な構成を示すものである。本画像読取装置１は、例えば、コピー装置やファクシミリ装置、スキャナ装置、コピー機能やファクシミリ機構、スキャナ機能等を一体的に備えた多機能装置（ＭＦＤ：Multi Function Device）等において、原稿の画像読取りを行うための画像読取部として実現される。
【００２７】
図１及び図２に示すように、画像読取装置１は、ＦＢＳ（Flatbed Scanner）として機能する原稿載置台２に対して、自動原稿搬送機構であるオート・ドキュメント・フィーダ（ＡＤＦ：Auto Document Feeder）３を備えた原稿カバー４が、背面側（紙面後方）の蝶番を介して開閉自在に取り付けられたものである。
【００２８】
原稿載置台２の正面側には、操作パネル５が設けられている。操作パネル５は、各種操作キー１１と液晶表示部１２とを具備する。使用者は、操作パネル５を用いて、所望の指令を入力する。画像読取装置１は、所定の入力を受けて所定の動作を行う。画像読取装置１は、操作パネル５へ入力された指令のほか、コンピュータに接続されて該コンピュータからプリンタドライバやスキャナドライバ等を介して送信される指令によっても動作する。
【００２９】
操作キー１１は、例えば、ファクシミリモード、コピーモード、スキャンモード等の各モードを切り替えるためのモードキー、画像読取装置１の電源をオン／オフするための電源キー、登録された電話帳や短縮ダイヤルの検索、通話音量や警告音、入力確認音の音量の変更、各種設定を確定するためのナビゲーションキー、画像記録や画像読取りの開始を入力するためのスタートキー、各種処理の中断を入力するためのストップキー、割り込みを入力するための割込キー、電話番号の入力等のためのダイヤルキー等を備えている。なお、操作キー１１の種類は一例であり、操作キー１１がこれらに限定されないことは当然である。
【００３０】
液晶表示部１２は、図１に示すように、その表面と操作パネル５の表面とが同一面となるようにして、操作パネル９の略中央に設けられている。液晶表示部１２は、操作パネル５の内部に、液晶ディスプレイ（ＬＣＤ：Liquid Crystal Display）が外部から視認可能に配設されてなる。液晶表示部１２は制御部６０（図６参照）と電気的に接続されており、制御部６０から電気信号を受けて所定の画面が液晶ディスプレイに表示される。
【００３１】
図２に示すように、原稿載置台２には、原稿カバー４と対向する天面にプラテンガラス２０，２１が配設されている。原稿カバー４が開かれることにより、プラテンガラス２０，２１が原稿載置台２の上面として露出される。原稿カバー４が閉じられることにより、プラテンガラス２０，２１を含めて原稿載置台２の上面全体が覆われる。原稿載置台２の内部には、プラテンガラス２０，２１に対向するようにして画像読取ユニット２２（画像読取手段）が内蔵されている。
【００３２】
プラテンガラス２０は、画像読取装置１をＦＢＳとして使用する場合に原稿が載置されるものであり、例えば透明なガラス板からなる。原稿載置台２の上面中央には、プラテンガラス２０を露出するための開口が形成されており、該開口から露出されたプラテンガラス２０の領域がＦＢＳにおける原稿読取領域となる。
【００３３】
プラテンガラス２１は、画像読取装置１のＡＤＦ３を使用する場合の読取位置であり、例えば透明なガラス板からなる。原稿載置台２の読取位置には、プラテンガラス２１を露出するための開口が形成されている。該開口から露出されたプラテンガラス２１は、画像読取ユニット２２の主走査方向の長さに対応して、画像読取装置１の奥行き方向に延設されている。
【００３４】
プラテンガラス２０とプラテンガラス２１との間に、位置決め部材２３が介設されている。位置決め部材２３は、プラテンガラス２１と同様に画像読取装置１の奥行き方向に延設された長尺の平板状の部材である。位置決め部材２３は、ＦＢＳにおける原稿載置面であるプラテンガラス２０上に原稿が載置される際に、原稿の位置決め基準として用いられる。そのために、位置決め部材２３の上面には、中央位置やＡ４サイズ、Ｂ５サイズ等の各種原稿サイズの両端位置を示す表示が記されている。位置決め部材２３の上面には、ＡＤＦ３によりプラテンガラス２１上を通過する原稿をすくい上げるように偏向してＡＤＦ３に戻すガイド面が形成されている。
【００３５】
画像読取ユニット２２は、光源からプラテンガラス２０，２１を通じて原稿に光を照射し、該原稿からの反射光をレンズにより受光素子に集光して電気信号に変換するいわゆるイメージセンサである。画像読取ユニット２２として、例えば、密着型のＣＩＳ（Contact Image Sensor）イメージセンサや縮小光学系のＣＣＤ（Charge Coupled Device）イメージセンサを用いることができる。画像読取ユニット２２は、走査機構であるベルト駆動機構によりプラテンガラス２０，２１の下方を往復移動可能に設けられており、キャリッジモータの駆動力を受けてプラテンガラス２０，２１と平行に往復移動する。
【００３６】
原稿カバー４には、給紙トレイ３０（原稿載置部）から原稿搬送路３２を通じて排紙トレイ３１（原稿排出部）へ原稿を連続搬送するＡＤＦ３が備えられている。ＡＤＦ３による搬送過程において、原稿がプラテンガラス２１上の読取位置を通過し、プラテンガラス２１の下方において待機する画像読取ユニット２２が該原稿の画像を読み取るようになっている。
【００３７】
図１及び図２に示すように、原稿カバー４には、給紙トレイ３０及び排紙トレイ３１が、給紙トレイ３０を上側として上下二段に設けられている。給紙トレイ３０には、ＡＤＦ３により画像読取りを行う原稿が載置される。複数枚の原稿が、第１面を上向きにした積層状態で給紙方向の先端を原稿搬送路３２に挿入するようにして、給紙トレイ３０上に載置される。給紙トレイ３０の装置背面側が下側へ曲折されることにより、防護壁２６が形成されている。防護壁２６の下端は原稿カバー４の上面に連結されている。この防護壁２６により、原稿カバー４が原稿載置台２に対して開かれた際に、排紙トレイ３１上の原稿が落下することが防止される。給紙トレイ３０の装置正面側の下方においては、ＡＤＦ３の筐体の一部に切り欠き２７が形成されている。この切り欠き２７により、排紙トレイ３１に排紙された原稿の装置正面側からの視認性が高められている。特に、サイズの小さい原稿は、給紙トレイ３０により視認され難いが、切り欠き２７により、給紙トレイ３０と排紙トレイ３１との間の空間が拡げられるので、サイズの小さい原稿の視認性が特に高められる。
【００３８】
排紙トレイ３１は、給紙トレイ３０の下側に上下方向に隔てた位置にあり、原稿カバー４の上面に一体的に形成されている。画像読取りが行われてＡＤＦ３から排紙された原稿は、給紙トレイ３０上の原稿と分離した状態で排紙トレイ３１上に第１面を下にして積載されるようにして保持される。排紙トレイ３１の装置正面側及び装置背面側となる両側部分２８は、両側へ向かって上方へ迫り上がった斜面となっている。この両側部分２８により、排紙トレイ３１に排出された原稿が取り出される際に、原稿を上から押さえるようにして両側部分２８の斜面に沿って原稿を滑らせて引き出すことができるので、排紙トレイ３１からの原稿の取り出しが容易である。
【００３９】
図２に示すように、ＡＤＦ３の内部には、給紙トレイ３０と排紙トレイ３１とを、プラテンガラス２１上の読取位置を経て連結するように、縦断面視において横向き略Ｕ字形状の原稿搬送路３２が形成されている。原稿搬送路３２は、ＡＤＦ本体を構成する部材やガイド板、ガイドリブ等により、原稿が通過可能な所定幅の通路として連続的に形成されている。このように、給紙トレイ３０と排紙トレイ３１とを上下二段に設け、これらを連結するように、縦断面視において横向き略Ｕ字形状の原稿搬送路３２を形成することにより、ＡＤＦ３の幅を狭くして小型化することができる。
【００４０】
原稿搬送路３２は、給紙トレイ３０から原稿カバー４の一端側（図左側）へ延出され、続いて下方へ反転するように湾曲されてプラテンガラス２１上の読取位置に至り、該読取位置から排紙トレイ３１へ向かって延出された縦断面視が横向き略Ｕ字形状である。原稿搬送路３２は、大別すれば、略Ｕ字形状において上下二段の直線部分をなす上側部分３２Ａ及び下側部分３２Ｃと、上側部分３２Ａと下側部分３２Ｃとを連続するようにして湾曲する湾曲部分３２Ｂとの３つの部分からなる。原稿搬送路３２は、ＡＤＦ３による原稿の片面読取り及び両面読取りに共通して、原稿の搬送経路として用いられる。
【００４１】
原稿搬送路３２の給紙トレイ３０付近には、給紙トレイ３０に載置された原稿を順次給送するための吸入ローラ３３及び分離ローラ３４が設けられている。また、原稿搬送路３２には、給紙トレイ３０から排紙トレイ３１へ原稿を搬送するための搬送ローラ３５Ａ，３５Ｂ，３５Ｃ，３５Ｄ及び排紙ローラ３６とこれらに圧接するピンチローラ３７が配設されている。これら吸入ローラ３３、分離ローラ３４、搬送ローラ３５Ａ，３５Ｂ，３５Ｃ，３５Ｄ、排紙ローラ３６及びピンチローラ３７によって原稿搬送手段が構成されている。なお、原稿搬送手段を構成する各ローラには、駆動源であるモータ６７（図６参照）から駆動力が伝達される。
【００４２】
図に示すように、原稿搬送路３２の最上流付近には、吸入ローラ３３及び分離ローラ３４が設けられている。吸入ローラ３３は、分離ローラ３４を軸支する軸に基端側を軸支されたアーム２９の先端部に回転自在に設けられている。分離ローラ３４は、吸入ローラ３３から給紙方向へ隔てた位置に、原稿搬送路３２の対向面に当接するようにして回転可能に設けられている。吸入ローラ３３及び分離ローラ３４は、モータ６７からの駆動力が伝達されて回転駆動され、アーム２９もモータ６７からの駆動力が伝達されて上下動される。吸入ローラ３３及び分離ローラ３４は同径であり、同じ周速度で回転される。分離ローラ３４の対向位置には、分離ローラ３４のローラ面と圧接して、摩擦により原稿を分離する分離パッドが配設されている。
【００４３】
搬送ローラ３５Ａ，３５Ｂ，３５Ｃ，３５Ｄは、原稿搬送路３２の異なる位置にそれぞれ配設されている。本実施の形態では、分離ローラ３４の直下流側に搬送ローラ３５Ａが配設され、原稿搬送路３２の上側部分３２Ａに搬送ローラ３５Ｂが配設され、原稿搬送路３２の下側部分３２Ｃであって読取位置の直上流側に搬送ローラ３５Ｃが配設され、原稿搬送路３２の下側部分３２Ｃであって読取位置の直下流側に搬送ローラ３５Ｄが配設されている。なお、この配置は一例であり、搬送ローラ３５Ａ，３５Ｂ，３５Ｃ，３５Ｄの数や配置は適宜変更できる。
【００４４】
各搬送ローラ３５Ａ，３５Ｂ，３５Ｃ，３５Ｄの対向位置には、ピンチローラ３７がそれぞれ設けられている。各ピンチローラ３７は、その軸がバネに弾性付勢されることにより、各搬送ローラ３５のローラ面に圧接されている。各搬送ローラ３５Ａ，３５Ｂ，３５Ｃ，３５Ｄが回転すれば、これに従動してピンチローラ３７も回転する。各ピンチローラ３７により、原稿が各搬送ローラ３５に圧接されて、各搬送ローラ３５Ａ，３５Ｂ，３５Ｃ，３５Ｄの回転力が原稿に伝達される。
【００４５】
排紙ローラ３６は、原稿搬送路３２の最下流付近に配設されており、搬送ローラ３５Ａ，３５Ｂ，３５Ｃ，３５Ｄと同様に、モータ６７からの駆動力が伝達されて回転駆動される。排紙ローラ３６の対向位置にもピンチローラ３７がそれぞれ設けられており、ピンチローラ３７はバネにより弾性付勢されて、排紙ローラ３６に圧接されている。
【００４６】
原稿搬送路３２の下側部分３２Ｃの連結位置３８には、スイッチバックパス３９（スイッチバック搬送路）が連結されている。スイッチバックパス３９は、両面読取りを行う場合に、読取位置において第１面が読み取られた原稿を引き込んで、先端と後端とを逆転させて読取位置の下流側から上流側の原稿搬送路３２へ戻すためのものである。スイッチバックパス３９は、連結位置３８から給紙トレイ３０の上側へ向かって斜め上方へ延出されて、原稿搬送路３２の上側部分３２Ａと交叉している。上側部分３２Ａとスイッチバックパス３９との交叉位置４０からスイッチバック搬送された原稿が原稿搬送路３２へ戻される。
【００４７】
スイッチバックパス３９の終端４１は、ＡＤＦ３の外面に開口されている。スイッチバックパス３９の終端４１から給紙トレイ３０側には、終端４１から連続するようにして、原稿支持部４２が形成されている。原稿支持部４２は、スイッチバックパス３９の終端４１から突出された原稿を支持するためのものであり、給紙ローラ３３及び分離ローラ３４の上側においてＡＤＦ３の上カバー６をなしている。上カバー６は、給紙ローラ３３及び分離ローラ３４を含めてＡＤＦ３の全体を覆うように形成されており、ＡＤＦ３の筐体（装置筐体）をなしている。上カバー６として構成された原稿支持部４２は、終端４１から給紙トレイ３０側へ向かって、給紙ローラ３３及び分離ローラ３４による給紙位置より上流側に至るまで延出されている。これにより、両面読取りにおいて、スイッチバックパス３９に進入して終端４１からＡＤＦ３の外側へ突出した原稿の一部が原稿支持部４１上に支持されるので、給紙トレイ３０に積載された原稿の給紙位置より下流側（図２左側）に垂れ下がることがなく、給紙位置において原稿が乱されることが防止される。
【００４８】
スイッチバックパス３９の終端４１は、第１画像読取りを一時休止して行う第２画像読取りにおいて、原稿挿入口として用いられる。スイッチバックパス３９の終端４１に挿入された原稿は、原稿支持部４２に支持されて上カバー６上に載置される。スイッチバックパス３９の終端４１は、ＡＤＦ３の上カバー６の上面に開口されているので、第２画像読取りの際に、終端４１から原稿を挿入することが容易である。
【００４９】
スイッチバックパス３９の交叉位置４０より終端４１側には、スイッチバックローラ４３が配設されている。スイッチバックローラ４３は、モータ６７からの駆動力が伝達されて正逆双方向に回転駆動される。スイッチバックローラ４３の対向位置には、ピンチローラ４４が設けられている。ピンチローラ４４は、その軸がバネに弾性付勢されることにより、スイッチバックローラ４３のローラ面に圧接されており、スイッチバックローラ４３の回転に従動して回転する。ピンチローラ４４により、原稿がスイッチバックローラ４３に圧接されて、スイッチバックローラ４３の回転力が原稿に伝達される。スイッチバックローラ４３及びピンチローラ４４により、原稿をスイッチバック搬送するスイッチバック搬送手段が実現されている。
【００５０】
スイッチバックパス３９の終端４１に挿入された第２画像読取りの原稿は、その先端がスイッチバックローラ４３及びピンチローラ４４のニップ位置に当接することにより、挿入位置が規制される。この当接状態からスイッチバックローラ４３が回転されることにより、第２画像読取りの原稿がスイッチバックパス３９に給送される。したがって、スイッチバックローラ４３及びピンチローラ４４は、第２画像読取りにおける給送手段でもある。
【００５１】
なお、本実施の形態では、第２画像読取りを行う原稿の挿入の容易のために、原稿搬送路３２の読取位置の下流側の連結位置３８に連結されたスイッチバックパス３９を、原稿搬送路３２の上側部分３２Ａと交叉させて、終端４１を給紙トレイ３０より上側に開口させているが、スイッチバックパス３９の搬送経路は他の形状を採用することも可能であり、原稿搬送路３２の所定位置に連結されて、読取位置の下流側から原稿の先端と後端とを逆転させて読取位置の上流側へ戻すものであれば、スイッチバックパスの搬送経路を適宜変更してもよい。
【００５２】
図２及び図３に示すように、交叉位置４０には、所望の搬送経路に原稿を案内するためのガイドフラップ４６及びガイドフラップ４７が配設されている。ガイドフラップ４６は、交叉位置４０における原稿搬送路３２の読取位置側とスイッチバックパス３９の連結位置３８側との隅部（図３左下側）に設けられた軸４８を中心に所定範囲で回動可能に配設されている。ガイドフラップ４６は、羽根形状の平板であり、その先端が交叉位置４０に突出されている。図においては、ガイドフラップ４６は１つのみ示されているが、同形状のガイドフラップ４６が原稿搬送路３２の幅方向（図３の紙面垂直方向、装置奥行き方向）に所定間隔で複数設けられており、複数のガイドフラップ４６が一体に回動される。
【００５３】
ガイドフラップ４６は、軸４８を中心に回動することにより、図３に実線で示した第３の案内姿勢と、２点鎖線で示した第４の案内姿勢とに姿勢変化する。ガイドフラップ４６は、例えば、原稿搬送路３２又はスイッチバックパス３９のガイド部材に当接されることにより、第３の案内姿勢から下側に回動すること、及び第４の案内姿勢から上側に回動することが規制されている。ガイドフラップ４６が第３の案内姿勢となることにより、原稿搬送路３２の給紙トレイ３０側（図３右側）から読取位置側（図３左側）への搬送経路が連続するとともに、原稿搬送路３２からスイッチバックパス３９の連結位置３８側（図３下側）への搬送経路が閉止される。これにより、原稿搬送路３２の給紙トレイ３０側から交叉位置４０に到達した原稿は、原稿搬送路３２の読取位置側へ進入することが許容され、且つスイッチバックパス３９の連結位置３８側へ進入することが制止される。また、スイッチバックパス３９の終端４１側（図３上側）から交叉位置４０に到達した原稿は、原稿搬送路３２の読取位置側へ進入することが許容され、且つスイッチバックパス３９の連結位置３８側へ進入することが制止される。
【００５４】
ガイドフラップ４６が第４の案内姿勢となることにより、スイッチバックパス３９の連結位置３８側から終端４１側への搬送経路が連続するとともに、スイッチバックパス３９の連結位置３８側から原稿搬送路３２の読取位置側への搬送経路が閉止される。これにより、スイッチバックパス３９の連結位置３８側から交叉位置４０に到達した原稿は、スイッチバックパス３９の終端４１側へ進入することが許容され、且つ原稿搬送路３２の読取位置側へ進入することが制止される。
【００５５】
ガイドフラップ４６による搬送経路の切替えは、原稿の当接により行われる。ガイドフラップ４６は、その自重により又はバネ等の弾性部材の付勢力を受けて、常時、図３に実線で示した第３の案内姿勢にある。スイッチバックパス３９を連結位置３８から交叉位置４０に向かって搬送される原稿がガイドフラップ４６に当接することにより、ガイドフラップ４６が図中上側に押しやれるように回動して、図３に２点鎖線で示した第４の案内姿勢になる。一方、スイッチバックパス３９の終端４１側から交叉位置４０に搬送された原稿は、ガイドフラップ４６に当接するが、ガイドフラップ４６は第３の案内姿勢から図中下側へは回動しないように規制されているので、該原稿はガイドフラップ４６に案内されて、原稿搬送路３２の上側部分３２Ａを読取位置側へ進入する。ガイドフラップ４６の羽根形状は、スイッチバックパス３９の連結位置３８側から交叉位置４０へ搬送される原稿の当接により姿勢変化し易く、スイッチバックパス３９の終端４１側から交叉位置４０へ搬送される原稿が原稿搬送路３２の読取位置側へ案内されやすい形状が採用される。このように、ガイドフラップ４６を原稿の当接により姿勢変化するようにすれば、ガイドフラップ４６をモータ６７からの駆動力を付与して積極的に姿勢変化させる必要がないので、簡易な構成でガイドフラップ４６を実現できる。
【００５６】
ガイドフラップ４７は、交叉位置４０における原稿搬送路３２の給紙トレイ３０側とスイッチバックパス３９の終端４１側との隅部（図３右上側）に設けられた軸４９を中心に所定範囲で回動可能に配設されている。ガイドフラップ４７は、羽根形状の平板であり、その先端が交叉位置４０に突出されている。図においては、ガイドフラップ４７は１つのみ示されているが、同形状のガイドフラップ４７が原稿搬送路３２の幅方向に所定間隔で複数設けられており、複数のガイドフラップ４７が一体に回動される。
【００５７】
ガイドフラップ４７は、軸４９を中心に回動することにより、図３に実線で示した第５の案内姿勢と、２点鎖線で示した第６の案内姿勢とに姿勢変化する。ガイドフラップ４７は、例えば、原稿搬送路３２又はスイッチバックパス３９のガイド部材に当接されることにより、第５の案内姿勢から右側に回動すること、及び第６の案内姿勢から上側に回動することが規制されている。ガイドフラップ４７が第５の案内姿勢となることにより、スイッチバックパス３９の終端４１側から原稿搬送路３２の読取位置側への搬送経路が連続するとともに、スイッチバックパス３９の連結位置３８側から原稿搬送路３２の給紙トレイ３０側への搬送経路が閉止される。これにより、スイッチバックパス３９の終端４１側から交叉位置４０に到達した原稿は、原稿搬送路３２の読取位置側へ進入することが許容され、且つ給紙トレイ３０側へ進入することが制止される。また、スイッチバックパス３９の連結位置３８側から交叉位置４０に到達した原稿は、スイッチバックパス３９の終端４１側へ進入することが許容され、且つ原稿搬送路３２の給紙トレイ３０側へ進入することが制止される。
【００５８】
ガイドフラップ４７が第６の案内姿勢となることにより、原稿搬送路３２の給紙トレイ３０側から読取位置側への搬送経路が連続するとともに、原稿搬送路３２の給紙トレイ３０側からスイッチバックパス３９の終端４１側への搬送経路が閉止される。これにより、原稿搬送路３２の給紙トレイ３０側から交叉位置４０に到達した原稿は、原稿搬送路３２の読取位置側へ進入することが許容され、且つスイッチバックパス３９の終端４１側へ進入することが制止される。
【００５９】
ガイドフラップ４７による搬送経路の切替えは、原稿の当接により行われる。ガイドフラップ４７は、その自重により又はバネ等の弾性部材の付勢力を受けて、常時、図３に実線で示した第５の案内姿勢にある。原稿搬送路３２の給紙トレイ３０側から搬送される原稿がガイドフラップ４７に当接することにより、ガイドフラップ４７が図中左側に押しやれるように回動して、図３に２点鎖線で示した第６の案内姿勢になる。一方、スイッチバックパス３９の連結位置３８側から交叉位置４０に搬送された原稿が、仮にガイドフラップ４７に当接したとしても、ガイドフラップ４７は第５の案内姿勢から図中右側へは回動しないように規制されているので、該原稿はガイドフラップ４７に案内されて、スイッチバックパス３９の終端４１側へ進入する。ガイドフラップ４７の羽根形状は、原稿搬送路３２の給紙トレイ３０側から交叉位置４０へ搬送される原稿の当接により姿勢変化し易く、スイッチバックパス３９の連結位置３８側から交叉位置４０へ搬送される原稿がスイッチバックパス３９の終端４１側へ案内されやすい形状が採用される。このように、ガイドフラップ４７を原稿の当接により姿勢変化するようにすれば、ガイドフラップ４７をモータ等からの駆動力を付与して積極的に姿勢変化させる必要がないので、簡易な構成でガイドフラップ４７を実現できる。
【００６０】
図１及び図４に示すように、連結位置３８には、ガイドフラップ５０が配設されている。ガイドフラップ５０は、軸５１を中心に回動可能に配設されており、モータ６７から駆動力が伝達されることにより、図４に実線で示した第１の案内姿勢と２点鎖線で示した第２の案内姿勢とに回動される。ガイドフラップ５０は、例えば、原稿搬送路３２又はスイッチバックパス３９のガイド部材に当接されることにより、第１の案内姿勢から上側に回動すること、及び第２の案内姿勢から下側に回動することが規制されている。ガイドフラップ５０が第１の案内姿勢にある場合には、原稿搬送路３２の読取位置側（図４左側）から排紙トレイ３１側（図４右側）への搬送経路が連続する。これにより、読取位置を通過した原稿は、原稿搬送路３２の下側部分３２Ｃを排紙トレイ３１へ向かって連結位置３８を案内される。ガイドフラップ５０が第２の案内姿勢にある場合には、原稿搬送路３２の下側部分３２Ｃの読取位置下流側からスイッチバックパス３９への搬送経路が連続する。これにより、読取位置を通過した原稿は、スイッチバックパス３９へ進入するように連結位置３８を案内される。このようにして、ガイドフラップ５０は、連結位置３８において原稿を原稿搬送路３２又はスイッチバックパス３９のいずれかに案内可能に配設されている。なお、図においては、ガイドフラップ５０は１つのみ示されているが、同形状のガイドフラップ５０が原稿搬送路３２の幅方向に所定間隔で複数設けられており、複数のガイドフラップ５０が一体に回動される。
【００６１】
図２に示すように、原稿搬送路３２及びスイッチバックパス３９には、原稿の搬送を検知するための複数のセンサが設けられている。詳細には、原稿搬送路３２には、分離ローラ３４の上流側及び下流側に、第１フロントセンサ５２及び第２フロントセンサ５３がそれぞれ配設されており、また、読取位置の直上流側にリアセンサ５４が配設されている。スイッチバックパス３９の連結位置３８と交叉位置４０との間には、スイッチバックセンサ５５が配設されている。また、スイッチバックパス３９の終端４１付近には、割込原稿を検知するための割込原稿センサ４５が設けられている。これら各センサは、所謂光学センサであり、検出する位置の違いにより検出子の形状等が異なる他は同様の構成をなすものなので、割込原稿センサ４５を例に構成を説明する。
【００６２】
割込原稿センサ４５は、図５に示すように、スイッチバックパス３９の下面から突出するとともに、割込原稿と接触することによりスイッチバックパス３９から退避するように回動する検出子５６と、検出子５６の回動を検出するフォトインタラプタ５７とからなる。検出子５６には、フォトインタラプタ５７により検知される遮蔽部５８が一体的に形成されており、軸５９を中心に回動自在に設けられている。検出子５６は、不図示のバネ等の付勢手段により、検出子５６が原稿搬送路３２に突出する位置に、すなわち図において時計回り方向へ弾性付勢されている。検出子５６に外力が付与されない状態では、図に実線で示すように、検出子５６は原稿搬送路３２に突出し、遮蔽部５８はフォトインタラプタ５７の発光部と受光部との間に位置する。これにより、フォトインタラプタ５７の光伝達が遮断されて、割込原稿センサ４５がオフとなる。
【００６３】
スイッチバックパス３９の終端４１から割込原稿が挿入されると、割込原稿が検出子５６に当接して、検出子５６をスイッチバックパス３９から退避するように回動させる。検出子５６とともに遮蔽部５８も回動され、図に２点鎖線で示すように、遮蔽部５８はフォトインタラプタ５７の発光部と受光部との間から離れる。これにより、フォトインタラプタ５７の光伝達が遮断されなくなり、割込原稿センサ４５がオンとなる。割込原稿センサ４５のオン／オフにより、スイッチバックパス３９の終端４１に割込原稿が挿入されたか否かが検知される。
【００６４】
分離ローラ３４の直上流に配設された第１フロントセンサ５２は、そのオン／オフにより、給紙トレイ３０に原稿が載置されたか否かを検知するためのものである。給紙トレイ３０に原稿が載置されると、第１フロントセンサ５２がオンになり、給紙トレイ３０から原稿がなくなると、第１フロントセンサ５２がオフになる。
【００６５】
分離ローラ３４の直下流に配設された第２フロントセンサ５３は、そのオン／オフにより、原稿搬送路３２に給送された原稿の先端又は後端を検知するためのものである。例えば、第２フロントセンサ５３が原稿の後端を検知してからの搬送ローラ３５Ａ，３５Ｂ，３５Ｃ，３５Ｄの回転数をエンコーダやモータ６７のステップ数等によって監視することにより、原稿搬送路３２における原稿の先端又は後端の位置が判断される。
【００６６】
読取位置の直上流に配設されたリアセンサ５４は、そのオン／オフにより、原稿搬送路３２を搬送される原稿の先端及び後端を検知するためのものである。リアセンサ５４が原稿の先端又は後端を検知してからの搬送ローラ３５Ａ，３５Ｂ，３５Ｃ，３５Ｄの回転数をエンコーダやモータ６７のステップ数等によって監視することにより、原稿の先端又は後端が読取位置に到達したか否かが判断される。画像読取ユニット２２の画像読取りは、このリアセンサ５４の信号に基づいて制御され、原稿の先端が読取位置に到達すれば画像読取りが開始され、原稿の後端が読取位置に到達すれば画像読取りが終了される。
【００６７】
スイッチバックパス３９の連結位置３８と交叉位置４０との間に配設されたスイッチバックセンサ５５は、そのオン／オフにより、スイッチバックパス３９を搬送される原稿の先端又は後端を検知するためのものである。例えば、スイッチバックセンサ５５が原稿の後端を検知してからの搬送ローラ３５Ａ，３５Ｂ，３５Ｃ，３５Ｄ及びスイッチバックローラ４３の回転数をエンコーダやモータ６７のステップ数等によって監視することにより、原稿の後端が交叉位置４０を通過したか否かが判断される。
【００６８】
図６は、画像読取装置１の制御部６０（制御手段）の構成を示している。制御部６０は、図に示すように、ＣＰＵ６１、ＲＯＭ６２、ＲＡＭ６３（記憶手段）、ＥＥＰＲＯＭ（Electrically Erasable and Programmable ROM）６４を主とするマイクロコンピュータとして構成されており、バス６５を介してＡＳＩＣ（Application Specific Integrated Circuit）６６に接続されている。
【００６９】
ＲＯＭ６２には、画像読取装置１の各種動作を制御するためのプログラム等が格納されている。ＲＡＭ６３は、ＣＰＵ６１が上記プログラムを実行する際に用いる各種データを一時的に記録する記憶領域又は作業領域として使用される。ＥＥＰＲＯＭ６４は、電源オフ後も記録を保持すべき各種設定やフラグ等を格納する記憶領域である。
【００７０】
ＡＳＩＣ６６は、ＣＰＵ６１からの指令に従い、モータ６７に通電する相励磁信号等を生成して、該信号をモータ６７の駆動回路６８に付与し、駆動回路６８を介して駆動信号をモータ６７に通電することにより、モータ６７の回転制御を行っている。モータ６７は、正逆双方向に回転することにより、吸入ローラ３３、分離ローラ３４、搬送ローラ３５Ａ，３５Ｂ，３５Ｃ，３５Ｄ、排紙ローラ３６、スイッチバックローラ（ＳＢローラ）４３及びガイドフラップ５０に駆動力を付与するものであり、ＡＤＦ３における駆動源である。
【００７１】
駆動回路６８は、モータ６７を駆動させるものであり、ＡＳＩＣ６６からの出力信号を受けて、モータ６７を回転するための電気信号を形成する。該電気信号を受けてモータ６７が所定の回転速度で所定の回転方向に回転し、モータ６７の回転力が駆動力伝達機構をそれぞれ介して、吸入ローラ３３、分離ローラ３４、搬送ローラ３５Ａ，３５Ｂ，３５Ｃ，３５Ｄ、排紙ローラ３６、スイッチバックローラ４３及びガイドフラップ５０に伝達される。
【００７２】
ＡＳＩＣ６６には、ＡＤＦ３により読取位置へ搬送される原稿の画像読取りを行う画像読取ユニット２２が接続されている。ＲＯＭ６２に格納された制御プログラムに基づいて、画像読取ユニット２２は原稿の画像読取りを行う。なお、図には示していないが、画像読取ユニット２２を往復動させるための駆動機構も、ＡＳＩＣ６６からの出力信号を受けて動作される。
【００７３】
ＡＳＩＣ６６には、割込原稿センサ４５、第１フロントセンサ５２、第２フロントセンサ５３、リアセンサ５４及びスイッチバックセンサ５５が接続されている。ＣＰＵ６１は、これら各センサのオン／オフを受け、ＲＯＭ６２に格納された制御プログラムに基づいて、ＡＳＩＣ６６に所定の出力信号を出力させて、モータ６７や画像読取ユニット２２を動作させる。
【００７４】
ＡＳＩＣ６６には、画像読取装置１に所望の指令を入力する操作キー１１を制御するパネルゲートアレイ６９が接続されている。パネルゲートアレイ６９は、操作キー１１の押下を検出して、所定のコード信号を出力する。このキーコードは、複数の操作キー１１に対応して割り当てられている。ＣＰＵ６１は、パネルゲートアレイ６９から所定のキーコードを受信すると、所定のキー処理テーブルに従って、実行すべき制御処理を行う。キー処理テーブルは、キーコードと制御処理とを対応させてテーブル化したものであり、例えば、ＲＯＭ６２に記憶されている。本実施の形態では、操作キー１１の「割込」キーが、第１画像読取り動作の休止を要求する休止要求手段であり、割込動作中における「スタート」キーが、第１画像読取り動作の休止中に第２画像読取りの開始を要求する第２画像読取り開始要求手段であり、割込動作が解除された状態の「スタート」キーが、休止された第１画像読取りの再開を要求する第１画像読取り再開要求手段として割り当てられている。このような操作キー１１の割り当ては任意であり、操作キー１０の種類を適宜変更できることは言うまでもない。
【００７５】
ＡＳＩＣ６６には、液晶表示部１２の画面表示を制御するＬＣＤコントローラ７０が接続されている。ＬＣＤコントローラ７０は、ＣＰＵ６１の指令に基づいて、液晶表示部１２に画像読取装置１の動作に関する情報を画面に表示させる。例えば、上記「割込」キーが押下されると、制御部６０が割込動作状態に移行し、再び「割込」キーが押下されると、制御部６０が割込動作を解除する。このような場合に、画像読取装置１が割込動作中であるか否かが液晶表示部１２に表示される。
【００７６】
以下、本画像読取装置１による画像読取りの動作について説明する。図７は、画像読取り動作を示すフローチャートであり、図８から図１９は、画像読取りにおける各状態を示す図である。
【００７７】
画像読取装置１は、ＦＢＳとして使用することも、ＡＤＦ３を使用することも可能であるが、ＦＢＳの使用は本発明に特に関連しないので詳細な説明は省略する。ＡＤＦ３を使用する場合には、原稿カバー４を原稿載置台２に対して閉じた状態とする。原稿カバー４の開閉は、原稿載置台２に設けられたセンサ等により検知され、原稿カバー４が閉じられるとＡＤＦ３が使用可能となるように制御されている。そして、給紙トレイ３０に読み取るべき原稿Ｇｎが載置される。原稿Ｇｎは、読取面（第１面）が上側となるように、所謂フェイスアップにして給紙トレイ３０に載置される。また、原稿Ｇｎは１枚であっても複数枚であってもよい。例えば、同じサイズの複数枚の原稿Ｇｎの画像読取りを行う場合には、第１枚目の原稿Ｇ１の第１面が上向きとなるように、すなわちフェイスアップで重ね揃えて給紙トレイ３０に載置される。
【００７８】
画像読取装置１に読取開始が入力されると、制御部６０は、給紙トレイ３０に原稿Ｇｎが載置されているか否かを判断する（Ｓ１）。給紙トレイ３０上の原稿Ｇｎの有無は、第１フロントセンサ５２のオン／オフにより判断される。給紙トレイ３０に原稿Ｇｎが載置されていなければ、制御部６０は、原稿がセットされていない旨のエラー表示を液晶表示部１２に表示させる（Ｓ２）。
【００７９】
制御部６０は、給紙トレイ３０に原稿Ｇｎがセットされていれば、モータ６７を駆動して、吸入ローラ３３、分離ローラ３４、搬送ローラ３５Ａ，３５Ｂ，３５Ｃ，３５Ｄ、排紙ローラ３６、及びスイッチバックローラ４３を所定のタイミングで回転駆動し、最上位置の原稿Ｇ１の給紙を行う（Ｓ３）。給紙の際には、アーム２９が降下されて、吸入ローラ３３が給紙トレイ３０上の原稿Ｇ１と圧接する。そして、吸入ローラ３３及び分離ローラ３４の回転力を直接受ける最上位置の原稿Ｇ１から１枚ずつ分離されて原稿搬送路３２へ送り込まれる。
【００８０】
順次給紙された原稿Ｇｎは、原稿搬送路３２に案内されて読取位置へ搬送され、該読取位置の下方で待機された画像読取ユニット２２により原稿Ｇｎの画像読取りが行われる（Ｓ４：第１画像読取り）。そして、画像読取りを終えた原稿Ｇｎは、排紙トレイ３１へ排出される（Ｓ５）。このような画像読取動作において、原稿Ｇｎの片面読取りを行う場合と両面読取りを行う場合とで、原稿Ｇｎの搬送経路が異なる。原稿Ｇｎの片面読取りを行うか両面読取りを行うかは、読取開始が入力される前に予め設定された片面読取りモード又は両面読取りモードにより判断される。
【００８１】
以下、片面読取りモードについて説明する。読取り開始前においては、図８に示すように、ガイドフラップ５０は、連結位置３８における搬送経路を、原稿搬送路３２の読取位置側から排紙トレイ３１側へ連続する位置にある。ガイドフラップ４６は、原稿Ｇｎが当接していない状態では、第３の案内姿勢、すなわち交叉位置４０における搬送経路を原稿搬送路３２の給紙トレイ３０側から読取位置側へ連続させる位置にある。ガイドフラップ４７は、原稿Ｇｎが当接していない状態では、第５の案内姿勢、すなわち交叉位置４０における搬送経路をスイッチバックパス３９の終端４１側から原稿搬送路３２の読取位置側へ連続させる位置にある。
【００８２】
操作パネル５の「スタート」キーが押下されると、モータ６７からアーム２９に駆動力が伝達されてアーム２９が下方へ下がる。これにより、吸入ローラ３３が給紙トレイ３０上の原稿Ｇ１と圧接する。また、モータ６７から吸入ローラ３３及び分離ローラ３４に駆動力が伝達され、吸入ローラ３３及び分離ローラ３４が給送方向に回転することにより、原稿Ｇ１は原稿搬送路３２へ繰り込まれる。給紙トレイ３０に複数枚の原稿Ｇｎが載置されている場合に、最上位置の原稿Ｇ１に伴って、その直下の原稿Ｇ２が重送されることがあるが、原稿Ｇ２は分離ローラ３４の対向位置に設けられた分離パッドにより制止される。
【００８３】
原稿搬送路３２では、搬送ローラ３５Ａ，３５Ｂ，３５Ｃ，３５Ｄ及び排紙ローラ３６にモータ６７から駆動力が伝達されて、各ローラが原稿搬送路３２の上流側から下流側へ原稿Ｇｎを搬送するように、すなわち搬送方向に回転する。給紙トレイ３０から原稿搬送路３２へ給送された原稿Ｇ１は、搬送ローラ３５Ａ及びピンチローラ３７にニップされて回転力が伝達されることにより、原稿搬送路３２を交叉位置４０に搬送される。なお、原稿搬送路３２に原稿Ｇ１が給送されることにより、第２フロントセンサ５３がオンになる。
【００８４】
ガイドフラップ４７は、原稿搬送路３２の給紙トレイ３０側から交叉位置４０への搬送経路を閉止しているので、交叉位置４０に搬送される原稿Ｇ１はガイドフラップ４７に当接する。図９に示すように、ガイドフラップ４７は、原稿搬送路３２を搬送される原稿Ｇ１に押しやられるようにして、第５の案内姿勢から第６の案内姿勢に姿勢変化する。これにより、原稿搬送路３２の給紙トレイ３０側から読取位置側への搬送経路が連続するとともに、スイッチバックパス３９の終端４１側への搬送経路が閉止される。また、ガイドフラップ４６により、スイッチバックパス３９の連結位置３８側への搬送経路は閉止されている。したがって、原稿搬送路３２の給紙トレイ３０側から交叉位置４０に到達した原稿Ｇ１は、ガイドフラップ４６及びガイドフラップ４７に案内されて、スイッチバックパス３９のいずれの方向にも進入することなく、原稿搬送路３２の読取位置側へ搬送される。
【００８５】
図１０に示すように、原稿Ｇ１は、原稿搬送路３２の湾曲部３２Ｂにより下側へ反転するように搬送され、リアセンサ５４が原稿Ｇ１の搬送方向先端を検知してオンになる。原稿Ｇの搬送方向先端は、リアセンサ５４に検知されて所定時間経過した後に読取位置に到達するので、原稿Ｇ１の搬送方向先端が読取位置へ到達すれば、制御部６０は画像読取ユニット２２を動作させ、原稿Ｇ１の画像読取りを行う。原稿Ｇ１は、第１面を画像読取ユニット２２に対向するようにして読取位置を通過し、画像読取ユニット２２により原稿Ｇの第１面の画像が読み取られる。リアセンサ５４は、原稿Ｇ１の搬送方向後端を検知するとオフになる。制御部６０は、リアセンサ５４がオフになって所定時間経過した後に、画像読取ユニット２２による原稿Ｇ１の画像読取りを終了する。
【００８６】
図１１に示すように、ガイドフラップ５０は、第１の案内姿勢にあり、連結位置３８において原稿Ｇ１を原稿搬送路３２の排紙トレイ３１側へ案内する。排紙ローラ３６及びピンチローラ３７が原稿Ｇ１をニップして、原稿搬送路３２から排紙トレイ３１へ排出する。また、２枚目の原稿Ｇ２が給紙トレイ３０にあれば（Ｓ７）、同様の動作を繰り返すことにより、ＡＤＦ３は、給紙トレイ３０上の原稿Ｇ１，Ｇ２，Ｇ３，・・・を順次原稿搬送路３２に給送し、画像読取ユニット２２が各原稿原稿Ｇ１，Ｇ２，Ｇ３，・・・の画像読取りを行い、読取り後の原稿Ｇ１，Ｇ２，Ｇ３，・・・を排紙トレイ３１に順次排出する。
【００８７】
以下、両面読取りモードについて説明する。
操作パネル５の「スタート」キーが押下されると、給紙トレイ３０から原稿Ｇ１が給紙され、原稿搬送路３２の給紙トレイ３０側から交叉位置４０に到達した原稿Ｇ１は、ガイドフラップ４６及びガイドフラップ４７に案内されて、原稿搬送路３２の読取位置側へ搬送され、読取位置において、画像読取ユニット２２により原稿Ｇ１の第１面の画像が読み取られるまでは、片面読取りモードと同様である。
【００８８】
第１面の画像読取りが終了した原稿Ｇ１は、スイッチバックパス３９に案内されてスイッチバック搬送される。詳細に説明するに、図１２に示すように、第１面を読み取られた原稿Ｇ１は、ガイドフラップ５０に案内されて、連結位置３８を原稿搬送路３２からスイッチバックパス３９へ進入する。ガイドフラップ５０は、原稿Ｇ１が連結位置３８に至るまでの任意のタイミングで第２の案内姿勢に姿勢変化されている。スイッチバックセンサ５５は、スイッチバックパス３９に進入した原稿Ｇ１の搬送方向先端を検知してオンになる。なお、図において原稿Ｇｎに「１」で示された面は、両面読取りにおいて先に読み取られる第１面であり、「２」で示された面は後に読み取られる第２面であり、第１面と第２面とは表裏面の関係にある。
【００８９】
ガイドフラップ４６は、スイッチバックパス３９から交叉位置４０への搬送経路を閉止しているので、スイッチバックパス３９に進入した原稿Ｇ１は、交叉位置４０に到達する際にガイドフラップ４６に当接する。ガイドフラップ４６は、図１２に示すように、スイッチバックパス３９を搬送される原稿Ｇ１に押し上げられるようにして、第３の案内姿勢から第４の案内姿勢に姿勢変化する。これにより、スイッチバックパス３９の連結位置３８側からスイッチバックパス３９の終端４１側への搬送経路が連続するとともに、原稿搬送路３２の読取位置側への搬送経路が閉止される。また、ガイドフラップ４７により、原稿搬送路３２の給紙トレイ３０側への搬送経路は閉止されている。したがって、スイッチバックパス３９の連結位置３８側から交叉位置４０に到達した原稿Ｇ１は、ガイドフラップ４６及びガイドフラップ４７に案内されて、原稿搬送路３２に進入することなく、スイッチバックパス３９の終端４１側へ搬送される。そして、原稿Ｇ１は、スイッチバックローラ４３及びピンチローラ４４にニップされ、スイッチバックローラ４３の引き込み方向の回転によりスイッチバックパス３９を終端４１側へ搬送される。
【００９０】
図１３に示すように、原稿Ｇ１の搬送方向後端が、スイッチバックパス３９の交叉位置４０を超えて終端４１側に完全に進入した後、制御部６０はモータ６７の回転方向を切り替える。スイッチバックセンサ５５は、スイッチバックパス３９を搬送される原稿Ｇ１の搬送方向後端を検知してオフになり、それから所定時間経過後に原稿Ｇ１の搬送方向後端が交叉位置４０を通過する。したがって、制御部６０は、スイッチバックセンサ５５の検知信号と搬送ローラ３５Ｄ及びスイッチバックローラ４３による搬送距離又は搬送時間のカウントにより、原稿Ｇ１の搬送方向後端が、スイッチバックパス３９の交叉位置４０を超えて終端４１側に完全に進入したことを判断する。モータ６７の回転方向が切り替えられることにより、スイッチバックローラ４３とピンチローラ４４にニップされて終端４１から突出された原稿Ｇ１は、交叉位置４０へ戻される。すなわち、原稿Ｇ１は、スイッチバックパス３９を交叉位置４０へ戻るようにスイッチバック搬送される。
【００９１】
なお、原稿Ｇ１の一部がスイッチバックパス３９の終端４１からＡＤＦ３の外側へ突出した際に、突出した原稿Ｇ１の一部分は原稿支持部４２により支持される。また、原稿Ｇ１が交叉位置４０を通過してガイドフラップ４６から離れることにより、ガイドフラップ４６は下側へ回動して、第３の案内姿勢に復帰する。
【００９２】
図１４に示すように、スイッチバックパス３９から戻された原稿Ｇ１は、交叉位置４０において、第３の案内姿勢のガイドフラップ４６に当接する。ガイドフラップ４６は、第３の案内姿勢から下側へ回動しない。したがって、スイッチバックパス３９の終端４１側から原稿搬送路３２の読取位置側への搬送経路が連続するとともに、スイッチバックパス３９の連結位置３８側への搬送経路が閉止される。また、ガイドフラップ４７は、原稿搬送路３２の給紙トレイ３０側への搬送経路を閉止している。したがって、原稿Ｇ１は、ガイドフラップ４６及びガイドフラップ４７に案内されて、スイッチバックパス３９の連結位置３８側や原稿搬送路３２の給紙トレイ３０側へ進入することなく、スイッチバックパス３９の終端４１側から原稿搬送路３２の読取位置側へ搬送される。原稿Ｇ１がスイッチバックパス３９から原稿搬送路３２の読取位置の上流側へ戻されることにより、原稿Ｇ１は、最初に原稿搬送路３２を搬送された状態から、先端と後端とが逆転した状態で原稿搬送路３２を再送される。このようにして、原稿Ｇ１がスイッチバック搬送される。
【００９３】
原稿Ｇ１の搬送方向先端がリアセンサ５４に検知され、該搬送方向先端が読取位置に到達すれば、図１５に示すように、制御部６０は、画像読取ユニット２２に、原稿Ｇ１の第２面の画像読取りを行わせる。原稿Ｇ１は、第２面を画像読取ユニット２２に対向するようにして読取位置を通過し、画像読取ユニット２２により原稿Ｇ１の第２面の画像が読み取られる。
【００９４】
リアセンサ５４は、原稿Ｇ１の搬送方向後端を検知するとオフになる。制御部６０は、リアセンサ５４がオフになって所定時間経過した後に、画像読取ユニット２２による原稿Ｇ１の第２面の画像読取りを終了する。
【００９５】
第２面を読み取られた原稿Ｇ１は、ページ方向を揃えるために、ガイドフラップ５０に案内されて、連結位置３８を原稿搬送路３２からスイッチバックパス３９へ再び進入する。スイッチバックセンサ５５は、スイッチバックパス３９に進入した原稿Ｇ１の搬送方向先端を検知してオンになる。
【００９６】
スイッチバックパス３９に進入して交叉位置４０に到達した原稿Ｇ１は、図１２と同様にして、ガイドフラップ４６を押し上げて第３の案内姿勢から第４の案内姿勢に姿勢変化させて、交叉位置４０をスイッチバックパス３９の終端４１側に進入する。そして、図１３と同様にして、原稿Ｇ１の搬送方向後端が、スイッチバックパス３９の交叉位置４０を超えて終端４１側に完全に進入した後、制御部６０はモータ６７の回転方向を切り替え、スイッチバックローラ４３を戻し方向に回転させて、原稿Ｇ１を交叉位置４０へ戻す。そして、図１４と同様にして、スイッチバックパス３９から戻された原稿Ｇ１は、ガイドフラップ４６及びガイドフラップ４７に案内されて、スイッチバックパス３９の終端４１側から原稿搬送路３２の読取位置側へ搬送される。これにより、原稿Ｇ１は、再び先端と後端とが逆転した状態で、すなわち最初に原稿搬送路３２に給送された状態で原稿搬送路３２を再送される。
【００９７】
その後、原稿Ｇ１は、第１面を対向させて読取位置を通過する。その際、リアセンサ５４が原稿Ｇ１を検知してオンになるが、この搬送は、給紙トレイ３０に載置された複数枚の原稿Ｇｎの順序を維持した状態で排紙トレイ３１へ排紙するためのものなので、制御部６０は、原稿Ｇ１の画像読取りを行わない。
【００９８】
連結位置３８に到達した原稿Ｇ１は、ガイドフラップ５０により連結位置３８を排紙トレイ３１側へ案内され、排紙ローラ３６により、第１面を下にした状態で排紙トレイ３１に排出される。ガイドフラップ５０は、原稿Ｇ１が連結位置３８に到達するまでの任意のタイミングで、第１の案内姿勢に姿勢変化される。これにより、原稿Ｇ１は、第１面を下側にして排紙トレイ３１へ排出される。
【００９９】
制御部６０は、原稿Ｇ１の両面読取りを終了すれば、給紙トレイ３０に次に読み取るべき原稿Ｇ２がセットされているか否かを判断する（Ｓ７）。給紙トレイ３０に、次の原稿Ｇ２がセットされている場合は、第１フロントセンサ５２がオンである。制御部６０は、原稿Ｇ２があると判断すれば、モータ６７から給紙ローラ３３及び分離ローラ３４に駆動伝達して回転させる。これにより、給紙トレイ３０上の原稿Ｇ２が原稿搬送路３２に給送され、原稿Ｇ１と同様の両面読取りが行われる。
【０１００】
なお、本実施の形態では、給紙トレイ３０に載置された複数枚の原稿Ｇｎの順序を維持した状態で排紙トレイ３１へ排紙されるものとして、画像読取装置１による両面読取りの動作を説明したが、給紙トレイ３０に載置された原稿Ｇｎの順序と排紙トレイ３１に排紙された原稿Ｇｎの順序とを整合させる必要がない場合には、読取位置に原稿Ｇｎの第２面を対向させて原稿が搬送された後、再びスイッチバックパス３９に原稿Ｇｎを進入させることなく、連結位置３８を排紙トレイ３１側へ搬送して、排紙トレイ３１へ原稿Ｇｎを排出することとしてもよい。これにより、排紙トレイ３１において原稿Ｇｎの順序は維持されないが、最後のスイッチバック搬送を省略することができるので、原稿Ｇｎの両面読取りに要する時間を短縮することができる。また、原稿Ｇ１の排紙と原稿Ｇ２の給紙とを重複して行うことにより、複数枚の原稿Ｇｎを連続して両面読取りする場合の搬送時間を短縮させるようにしてもよい。
【０１０１】
このような片面読取りモード又は両面読取りモードのいずれかの画像読取り中において、操作パネル５の「割込」キーが押下されると（Ｓ６（Ｙ））、制御部６０は、原稿搬送路３２に既に搬送された原稿Ｇｎの画像読取りを完了した後、休止する。つまり、原稿搬送路３２に給紙された原稿Ｇｋの画像読取りが終了して排紙された時点で、次の原稿Ｇｋ＋１を原稿搬送路３２に給紙することなく、画像読取り動作を停止することにより、画像読取りが一時休止される。制御部６０は、休止した画像読取りの読取条件と、これまで読み取った原稿Ｇｎの画像データとをＲＡＭ６３に記憶させる（Ｓ８）。読取条件とは、原稿サイズや原稿濃度、読取解像度、読取モード（片面又は両面）などであり、コピーのための画像読取りであれば、コピー部数や記録用紙サイズ、拡大又は縮小倍率などを含むものであってもよい。なお、読取条件は、画像読み取り前に読取条件が設定された際にＲＡＭ６３に記憶させてもよい。また、原稿Ｇｎの画像データは、各原稿Ｇｎの画像読取りの際にＲＡＭ６３の所定の領域に記憶されるが、その所定領域に記憶された画像データを別領域に格納し、その所定領域を割込された画像読取りに用いるようにしてもよい。
【０１０２】
これにより、画像読取装置１は、割込状態に移行し、割込画像読取り（第２画像読取り）が可能になる。現在の画像読取り（第１画像読取り）は休止されているが、読み取り前の原稿Ｇｎは給紙トレイ３０上に載置されたままであり、読取後の原稿Ｇｎも排紙トレイ３１に保持されたままである。図１６に示すように、割込画像読取りでは、読み取るべき原稿Ｈは、スイッチバックパス３９の終端４１に挿入される。原稿Ｈの搬送方向先端は、スイッチバックローラ４３及びピンチローラ４４のニップ位置に当接して、原稿セット状態になる。前述したように、スイッチバックパス３９の終端４１は、ＡＤＦ３の上カバー６に開口されているので、原稿Ｈを容易に挿入することができる。原稿Ｈは、読取面（第１面）が上側となるように、所謂フェイスアップにしてスイッチバックパス３９に挿入される。なお、図１６では、原稿Ｇ１の画像読取り中に「割込」キーが押下され、１枚の原稿Ｈの片面読取りが行われる場合を示している。したがって、画像読取りを終了した原稿Ｇ１が排紙トレイ３１に保持されており、画像読取りを行っていない原稿Ｇ２以降が給紙トレイ３０に載置されている。割込画像読取りにおける読取モードや原稿サイズは、画像読取装置１が割込状態に移行してから、「スタート」キーが押されるまでの任意のタイミングで入力される。
【０１０３】
操作パネル５の「スタート」キーが押下されると（Ｓ９）、制御部６０は、スイッチバックパス３９の終端４１に原稿Ｈがセットされているか否かを判断する（Ｓ１０）。スイッチバックパス３９の終端４１に原稿Ｈがセットされていれば、割込原稿センサ４５がオンになり、原稿Ｈがセットされていなければ割込原稿センサ４５はオフである。スイッチバックパス３９に原稿Ｈが挿入されていなければ、制御部６０は、原稿がセットされていない旨のエラー表示を液晶表示部１２に表示させる（Ｓ１１）。
【０１０４】
制御部６０は、スイッチバックパス３９に原稿Ｈがセットされていれば、給紙を行う（Ｓ１２）。詳細には、制御部６０は、モータ６７を駆動して、搬送ローラ３５Ａ，３５Ｂ，３５Ｃ，３５Ｄ、排紙ローラ３６、及びスイッチバックローラ４３を所定のタイミングで回転駆動する。なお、給紙トレイ３０には、画像読み取り前の原稿Ｇｎが載置されたままであるので、給紙ローラ３３及び分離ローラ３４は回転駆動されない。スイッチバックローラ４３が戻し方向に回転駆動されることにより、原稿Ｈは、スイッチバックローラ４３及びピンチローラ４４にニップされて、スイッチバックパス３９の終端４１から交叉位置４０へ送り込まれる。
【０１０５】
図１７に示すように、交叉位置４０に到達した原稿Ｈは、第３の案内姿勢のガイドフラップ４６に当接する。ガイドフラップ４６は、第３の案内姿勢から下側へ回動しない。したがって、スイッチバックパス３９の終端４１側から原稿搬送路３２の読取位置側への搬送経路が連続するとともに、スイッチバックパス３９の連結位置３８側への搬送経路が閉止される。また、ガイドフラップ４７は、原稿搬送路３２の給紙トレイ３０側への搬送経路を閉止している。したがって、原稿Ｈは、ガイドフラップ４６及びガイドフラップ４７に案内されて、スイッチバックパス３９の連結位置３８側や原稿搬送路３２の給紙トレイ３０側へ進入することなく、スイッチバックパス３９の終端４１側から原稿搬送路３２の読取位置側へ搬送される。
【０１０６】
図１８に示すように、原稿Ｈは、原稿搬送路３２の湾曲部３２Ｂにより下側へ反転するように搬送され、リアセンサ５４が原稿Ｈの搬送方向先端を検知してオンになる。原稿Ｈの搬送方向先端が読取位置へ到達すれば、制御部６０は画像読取ユニット２２を動作させ、原稿Ｈの画像読取りを行う（Ｓ１３：第２画像読取り）。原稿Ｈは、第１面を画像読取ユニット２２に対向するようにして読取位置を通過し、画像読取ユニット２２により原稿Ｈの第１面の画像が読み取られる。リアセンサ５４は、原稿Ｈの搬送方向後端を検知するとオフになる。制御部６０は、リアセンサ５４がオフになって所定時間経過した後に、画像読取ユニット２２による原稿Ｈの画像読取りを終了する。
【０１０７】
第１面の画像読取りが終了した原稿Ｈは、スイッチバックパス３９に案内されて終端４１から排紙される（Ｓ１４）。詳細に説明するに、図１９に示すように、第１面を読み取られた原稿Ｈは、ガイドフラップ５０に案内されて、連結位置３８を原稿搬送路３２からスイッチバックパス３９へ進入する。ガイドフラップ５０は、原稿Ｇ１が連結位置３８に至るまでの任意のタイミングで第２の案内姿勢に姿勢変化されている。
【０１０８】
スイッチバックパス３９の連結位置３８側から交叉位置４０に到達した原稿Ｈは、ガイドフラップ４６及びガイドフラップ４７に案内されて、原稿搬送路３２に進入することなく、スイッチバックパス３９の終端４１側へ搬送される。そして、原稿Ｈは、スイッチバックローラ４３及びピンチローラ４４にニップされ、スイッチバックパス３９の終端４１に排出される。このようにして、割込させた原稿Ｈの片面読取りが終了する。読取後の原稿Ｈが、スイッチバックパス３９の終端４１から排出されることにより、既に画像読取りされて排紙トレイ３１に排出された原稿Ｇ１と混ざることがない。特に、本実施の形態のように、割込を行う原稿Ｈが１枚である場合に好適である。
【０１０９】
原稿Ｈの画像読取りが終了しても、制御部６０は、操作パネル５の「割込」キーが再び押下されるまで割込状態を維持する。したがって、別の原稿を割り込みさせたい場合には、「割込」キーを押下することなく（Ｓ１５（Ｎ））、前述と同様に、該原稿をスイッチバックパスパス３９の終端４１から挿入して、「スタート」キーを押下する（Ｓ１６（Ｙ））。これにより、原稿Ｈと同様の画像読取りが行われる。なお、本実施の形態では、割込させた原稿Ｈは片面読取りされるものとしたが、原稿Ｈの両面読取りもできることは言うまでもない。
【０１１０】
原稿Ｈの画像読取り後に、操作パネル５の「割込」キーが押下されることにより（Ｓ１５（Ｙ））、制御部６０は、割込状態を解除する。そして、ＲＡＭ６３に格納した読取条件及び画像データを読み出す（Ｓ１７）。これにより、原稿Ｇｎの画像読取りが再開可能となる。割込が解除されると、先に行っていた読取条件がＲＡＭ６３から読み出されるので、原稿Ｇｎの画像読取りを再開する際に、読取条件を操作パネル５に改めて入力する必要がない。
【０１１１】
また、給紙トレイ３０には、既に画像読取りを行った原稿Ｇｎがなく、画像読取りを行っていない原稿Ｇｎのみが残っている。つまり、図１６に示したように、原稿Ｇ１は排紙トレイ３１にあり、原稿Ｇ２以降が給紙トレイ３０に残っている。制御部６０は、割込状態を解除した後、ＲＡＭ６３に格納した原稿Ｇ１の画像データを読み出すので、原稿Ｇ１について、改めて画像読取りを行う必要がない。これにより、再開後の原稿Ｇｎの画像読取り時間が短縮される。
【０１１２】
そして、操作パネル５の「スタート」キーが押下されると（Ｓ１８（Ｙ））、制御部６０は、スイッチバックパス３９の終端４１に原稿Ｈが残っているか否かを判断する（Ｓ２０）。スイッチバックパス３９の終端４１に原稿Ｈが残っていれば、割込原稿センサ４５がオンになり、原稿Ｈが残っていなければ割込原稿センサ４５はオフである。スイッチバックパス３９に原稿Ｈが残っていれば、制御部６０は、スイッチバックパス３９から割込原稿を取り除くことを示唆するエラー表示を液晶表示部１２に表示させる（Ｓ２１）。
【０１１３】
スイッチバックパス３９の終端４１に原稿Ｈが残っていなければ、前述と同様に、制御部６０は、給紙トレイ３０に原稿Ｇｎがセットされているかを判断して（Ｓ７）、給紙（Ｓ３）、画像読取り（Ｓ４）、排紙（Ｓ５）を、画像読取りを行っていない原稿Ｇ２以降の枚数分だけ繰り返すことにより、原稿Ｇｎの画像読取りを行う。
【０１１４】
また、割込解除後に、操作パネル５の「スタート」キーが所定時間押下されない場合には、タイムアウトとして（Ｓ１９（Ｙ））、制御部６０は、スイッチバックパス３９の終端４１に原稿Ｈが残っているか否かを判断した後（Ｓ２０）、原稿Ｈが残っていなければ（Ｓ２０（Ｙ））、自動的に原稿Ｇｎの画像読取りを再開する。これにより、例えば、原稿Ｇｎの画像読取りを実施していた者と、割り込みで原稿Ｈの画像読取りを実施した者が別人である場合に、前者が後者の割込画像読取りが終了するまで、画像読取装置１の側で待機する必要がなく、仮に後者が前者の画像読取り再開のために「スタート」キーを押下しなかったとしても、原稿Ｇｎの画像読取りが再開される。
【０１１５】
このように、原稿Ｇｎの画像読取り（第１画像読取り）を一時休止して行う割込画像読取り（第２画像読取り）の原稿Ｈを、スイッチバックパス３９の終端４１から挿入することにより、原稿Ｈの割込画像読取りを行う際に、画像読取りが行われずに給紙トレイ３０に残っている原稿Ｇｎを取り除く必要がなく、割込画像読取りの際の手順や、先の画像読取りの再開の際の手順が簡略化されるので、画像読取装置１の使い勝手が向上される。
【０１１６】
なお、上記実施形態では、割込画像読取りにおいて、読取後の原稿Ｈがスイッチバックパス３９の終端４１に排出されるものとしたが、制御部６０が該原稿Ｈを排紙トレイ３１に排出させるように駆動制御してもよい。つまり、図１８に示したように、原稿Ｈの画像読取りが行われた後、ガイドフラップ５０を第１の案内姿勢として、連結位置３８において原稿Ｈを原稿搬送路３２の排紙トレイ３１側へ案内させ、排紙ローラ３６及びピンチローラ３７により、原稿搬送路３２から排紙トレイ３１へ排出させる。これにより、原稿Ｈが複数枚である場合に、次の原稿Ｈがスイッチバックパス３９の終端４１にセットされている場合には、連続して給紙（Ｓ１２）、画像読取り（Ｓ１３）を行って、排紙トレイ３１に順次排出させることができるので、複数枚の割込画像読取りを行う場合に好適である。
【０１１７】
また、上記実施形態において、割込原稿読取りが終了した後、制御部６０が、スイッチバックパス３９の終端４１に排出された原稿Ｈを、所定時間経過後に排紙トレイ３１へ排出させるようにしてもよい。原稿Ｈの画像読取りが終了した後、該原稿Ｈがスイッチバックパス３９の終端４１に残っていると、原稿Ｇｎの画像読取りを再開して両面読取りを行う際に、スイッチバックパス３９において原稿Ｇｎと原稿Ｈとが接触して、紙詰まり等の原因となり得る。したがって、上記実施形態では、原稿Ｇｎの画像読取りを再開するためのスタートキーが押下された場合（Ｓ１８（Ｙ））、又はタイムアウトとなった場合（Ｓ１９（Ｙ））に、制御部６０が、原稿Ｈがスイッチバックパス３９の終端に残っているか否かを判断し（Ｓ２０）、原稿Ｈが残っている場合にはエラー表示を行うこととしている（Ｓ２１）。
【０１１８】
制御部６０が、スイッチバックパス３９の終端４１に排出された原稿Ｈを、所定時間経過後に排紙トレイ３１に排出させることにより、割込画像読取りを行った者が読取り後の原稿Ｈを取り除かなくても、原稿Ｇｎの画像読取りを再開することができる。特に、タイムアウト（Ｓ１９）により自動的に原稿Ｇｎの画像読取りを再開させる場合に好適である。
【０１１９】
具体的には、画像読取りを終えた原稿Ｈが、スイッチバックパス３９の終端４１に排出される際に、制御部６０は、スイッチバックローラ４３及びピンチローラ４４が原稿Ｈをニップした状態で、これらの回転駆動を停止する。これにより、原稿Ｈは、スイッチバックローラ４３及びピンチローラ４４にニップされた状態で、終端４１からＡＤＦ３外部へ突出する。原稿Ｈが取り除かれる場合は、原稿Ｈをスイッチバックパス３９から引き抜くことにより、スイッチバックローラ４３及びピンチローラ４４が連れ回りして、ニップが解除される。
【０１２０】
割込画像読取り終了後、所定時間が経過しても割込原稿センサ４５がオンであれば、制御部６０は、スイッチバックローラ４３を戻し方向に回転駆動させて、図１７に示したように、原稿Ｈを交叉位置４０から原稿搬送路３２に送り込む。そして、連結位置３８に到達した原稿Ｈは、ガイドフラップ５０により連結位置３８を排紙トレイ３１側へ案内され、排紙トレイ３１に排出される。ガイドフラップ５０は、原稿Ｈが連結位置３８に到達するまでの任意のタイミングで、第１の案内姿勢に姿勢変化される。これにより、スイッチバックパス３９の終端４１から原稿Ｈが自動的に取り除かれので、原稿Ｇｎの両面読取りを再開しても、原稿搬送路３２やスイッチバックパス３９において、原稿Ｈと原稿Ｇｎとが接触することがない。
【図面の簡単な説明】
【０１２１】
【図１】図１は、本発明の実施の形態に係る画像読取装置１の外観構成を示す斜視図である。
【図２】図２は、画像読取装置１の内部構成を示す縦断面図である。
【図３】図３は、交叉位置４０の構成を示す拡大図である。
【図４】図４は、連結位置３８の構成を示す拡大図である。
【図５】図５は、割込原稿センサ４５の構成を示す拡大図である。
【図６】図６は、制御部６０の構成を示すブロック図である。
【図７】図７は、画像読取り動作を示すフローチャートである。
【図８】図８は、片面読取りモードの画像読取動作を示す模式図である。
【図９】図９は、片面読取りモードの画像読取動作を示す模式図である。
【図１０】図１０は、片面読取りモードの画像読取動作を示す模式図である。
【図１１】図１１は、片面読取りモードの画像読取動作を示す模式図である。
【図１２】図１２は、両面読取りモードの画像読取動作を示す模式図である。
【図１３】図１３は、両面読取りモードの画像読取動作を示す模式図である。
【図１４】図１４は、両面読取りモードの画像読取動作を示す模式図である。
【図１５】図１５は、両面読取りモードの画像読取動作を示す模式図である。
【図１６】図１６は、割込画像読取りの動作を示す模式図である。
【図１７】図１７は、割込画像読取りの動作を示す模式図である。
【図１８】図１８は、割込画像読取りの動作を示す模式図である。
【図１９】図１９は、割込画像読取りの動作を示す模式図である。
【符号の説明】
【０１２２】
１・・・画像読取装置
２２・・・画像読取ユニット（画像読取手段）
３０・・・給紙トレイ（原稿載置部）
３１・・・排紙トレイ（原稿排出部）
３２・・・原稿搬送路
３３・・・給紙ローラ（原稿搬送手段）
３４・・・分離ローラ（原稿搬送手段）
３５・・・搬送ローラ（原稿搬送手段）
３６・・・排紙ローラ（原稿搬送手段）
３７・・・ピンチローラ（原稿搬送手段）
３９・・・スイッチバックパス（スイッチバック搬送路）
４３・・・スイッチバックローラ（スイッチバック搬送手段）
４４・・・ピンチローラ（スイッチバック搬送手段）
６０・・・制御部（制御手段）
６３・・・ＲＡＭ（記憶手段）
【図１】
0004548295.tif 000002
【図２】
0004548295.tif 000003
【図３】
0004548295.tif 000004
【図４】
0004548295.tif 000005
【図５】
0004548295.tif 000006
【図６】
0004548295.tif 000007
【図７】
0004548295.tif 000008
【図８】
0004548295.tif 000009
【図９】
0004548295.tif 000010
【図１０】
0004548295.tif 000011
【図１１】
0004548295.tif 000012
【図１２】
0004548295.tif 000013
【図１３】
0004548295.tif 000014
【図１４】
0004548295.tif 000015
【図１５】
0004548295.tif 000016
【図１６】
0004548295.tif 000017
【図１７】
0004548295.tif 000018
【図１８】
0004548295.tif 000019
【図１９】
0004548295.tif 000020